(57)【要約】【課題】需要者自身が、使用に際して、被包装物の種類や用途、好み等に合わせて注出口を選択することのできる液体包装袋を提案する。【解決手段】積層フィルムを幅方向に折り返して、内側となるシーラント層の側縁どうしを縦方向にヒートシールすると共に、上側と下側をそれぞれ横方向にヒートシールしてなる包装袋であって、上側および下側の横シール部の、縦ヒートシールが施されていない側の折返し辺側縁部にそれぞれ、被包装物収納スペースに連通する、幅、長さおよび形状の少なくともいずれか１つが異なる狭幅の注出通路を設け、それらの注出通路の各内側縁部に向かって、上側横シール部の上端辺および下側横シール部の下端辺からそれぞれ、弧状または直線状の引裂き誘導疵を、上側および下側の横シール部分だけに形成し、上記引裂き誘導疵に沿う引裂きによって形成される液体注出口のそれぞれの吐出口断面積が異なる大きさとなるようにしたこと。【選択図】図２
2012017118.tif 000002
【特許請求の範囲】
【請求項１】
少なくともベースフィルム層とシーラント層とを具える積層フィルムを幅方向に折り返して、内側となるシーラント層の側縁どうしを縦方向にヒートシールすると共に、袋を形造る上側と下側をそれぞれ横方向にヒートシールしてなる包装袋であって、
上側および下側の横シール部の、縦ヒートシールが施されていない側の折返し辺側縁部にそれぞれ、被包装物収納スペースに連通する、幅、長さおよび形状の少なくともいずれか１つが異なる狭幅の上側注出通路および下側注出通路を設け、
それらの上側注出通路および下側注出通路の各内側縁部に向かって、上側横シール部の上端辺および下側横シール部の下端辺からそれぞれ、弧状または直線状の引裂き誘導疵を、上側および下側の横シール部分だけに形成し、
前記上側注出通路と下側注出通路とは、上記引裂き誘導疵に沿う引裂きによって形成される液体注出口のそれぞれの吐出口断面積が異なる大きさとなるように形成されていることを特徴とする液体包装袋。
【請求項２】
異なる液体注出口を具える上側注出通路および下側注出通路は、そのいずれか一方の吐出口断面積が大きく、他方が小さい組み合わせであることを特徴とする請求項１に記載の液体包装袋。
【請求項３】
前記上側および下側の横シール部分に形成される引裂き誘導疵はいずれも、始端と上側横シール部上端辺または下側横シール部下端辺とのクリアランスが０．３〜１．０ｍｍの範囲であるとともに、終端と上側注出通路または下側注出通路の各側端辺部とのクリアランスが０．３〜５．０ｍｍの範囲であることを特徴とする請求項１または２に記載の液体包装袋。
【請求項４】
前記注出通路が設けられる、ヒートシールが施されていない側縁部は、三方シール袋、中央合掌シール袋または背貼りシール袋の折返し幅方向側端部であることを特徴とする請求項１〜３のいずれか１項に記載の液体包装袋。
【請求項５】
前記弧状に延びる引裂き誘導疵に沿う引裂きによって開口される注出通路の液体注出口が、包装袋の上側の横シール部上端辺または下側の横シール部下端辺と平行または、包装袋の折返し辺側縁部に向って上向き、または下向きに湾曲するように形成されていることを特徴とする請求項１〜４にいずれか１項に記載の液体包装袋。
【請求項６】
前記注出通路は、上側横シール部上端辺または下側横シール部下端辺に向かって次第に先細る円錐状であることを特徴とする請求項１〜５のいずれか１項に記載の液体包装袋。
【請求項７】
前記液体注出口の、ほぼ幅方向での寸法が0.3〜50mmであることを特徴とする請求項１〜６のいずれか１項に記載の液体包装袋。
【発明の詳細な説明】
【技術分野】
【０００１】
この発明は、液状、ゼリー状等の飲食物、調味料その他各種の液状ないし粘稠状の飲食物、医薬品、化粧品等の流動性物質を充填包装してなる液体包装袋に関するものである。とくに、開封が容易で、その開封状態が良好で、開封後の被包装物の液だれや不測の漏れを十分に阻止することができると共に、使用に際し、被包装物の種類や使用者の好み等に合わせて被包装物の吐出量を選択することのできる複数の液体注出通路を設けてなる液体包装袋を提案するものである。
【背景技術】
【０００２】
従来、ベースフィルム層とシーラント層とを具え、液状ないしは粘稠状の被包装物を充填包装する液体包装袋は、図１に示すように、たとえば二軸延伸したエチレンービニルアルコール共重合体樹脂フィルムからなるベースフィルム層と、無延伸のエチレン−ビニルアセテート共重合体樹脂からなるシーラント層との積層フィルムを、自動充填製袋機によって、シーラント層が互いに向かい合わせになるように、幅方向の中央部位置にて二つ折りにした後、三方シールを施すことによって形成される。
【０００３】
そして、液体包装袋からの被包装物の取り出しは、まず図１に示すところでは、液体包装袋２０の縦シール部分２１に設けたＩノッチ２２から、その包装袋２０の引裂きを開始して、それによる袋の裂け目を、注出通路２４を過ぎる位置まで進行させた状態にて、より好ましくは、その裂け目を、包装袋２０を完全に横切る位置まで進行させた状態にして包装袋２０を開封する。そして、一般には、包装袋２０の被包装物収納スペース２３を手・指等にて押圧して、注出通路２４を開口させて、被包装物を流出させることにより行われる。
なお、一般に、Ｉノッチ２２は、縦シール部分２１に設けられるため、注出通路２４も縦シール部分２１側に形成される。
【０００４】
しかし、上記従来の液体包装袋２０は、それ自体が軟質であるため、被包装物の注出の際に包装袋２０が意図しない変形をして被包装物がこぼれ出すおそれがあった。また、注出通路２４は、横シール部分２５と縦シール部分２１によって区画形成されていて、注出通路２４を形成する表裏のフィルム部分は、それらのシール部分２１、２５によって平坦形状に拘束されている。そのため、注出通路２４には、横シール部分２５と縦シール部分２１との拘束によって平坦に重なり合おうとする力が作用して引裂き開口を閉じようとする傾向がある。そのため、従来の液体包装袋２０は、注出通路２４のフィルム同士が密着して、被包装物を注出し難いものにしている。一方で、収納スペース２３を強く押さえると、逆に被包装物が勢いよく吐出して飛散し、手や衣類を汚してしまうという問題点があった。
【０００５】
さらに、被包装物は、注出通路２４から、縦シール部分２１を超えて注出されることになるため、被包装物の注出時や、注出後に液体包装袋２０を直立姿勢に戻す際に、被包装物が縦シール部分２１を伝わり、液だれが発生し易いという問題があった。
【０００６】
また、縦シール部分２１に形成したＩノッチ２２と、注出通路２４までの距離が短いため、液体包装袋２０の取り扱い中に、それが破断してしてしまい、被包装物が漏れ出すことがあった。
【０００７】
従来技術が抱える上記問題点を解決するため、発明者らは、特許文献１において、積層フィルムを、シーラント層が相互に対向するように幅方向に折返し、側縁どうしを縦方向にヒートシールすると共に、上端と下端とを横方向にヒートシールして得られる包装袋について、その上側横シール部の、縦ヒートシールが施されていない側の折返し辺側縁部に、被包装物収納スペースに連通する狭幅の注出通路を設けると共に、その上側横シール部の上端辺から前記注出通路の側端辺部に向かって、弧状または直線状の引裂き誘導疵を形成した液体包装袋を提案した。
【０００８】
この特許文献１の液体包装袋によれば、被包装物の注出通路が、縦ヒートシールが施されていない側（積層フィルムの基端部側）に設けられているため、注出口部分はヒートシールの影響がなく、そのため、とくに圧力を加えてなくても、積層フィルムの復元力だけによって常にストロー状（楕円状）に開口した状態になり、そのため、被包装物の注出量を、その収納スペースの押圧によってコントロールすることができると共に、被包装物の注出の際の液だれや飛散を防止できるという効果が期待できる。
【先行技術文献】
【特許文献】
【０００９】
【特許文献１】特許第４２４６７６０号公報
【発明の開示】
【発明が解決しようとする課題】
【００１０】
この発明は、上記特許文献１の液体包装袋をさらに改良し、需要者自身が、使用に際して、被包装物の種類や用途、好み等に合わせて注出量を選択することのできる複数の注出通路を有する液体包装袋を提案することを目的とする。
【課題を解決するための手段】
【００１１】
即ち、本発明は、少なくともベースフィルム層とシーラント層とを具える積層フィルムを幅方向に折り返して、内側となるシーラント層の側縁どうしを縦方向にヒートシールすると共に、袋を形造る上側と下側をそれぞれ横方向にヒートシールしてなる包装袋であって、上側および下側の横シール部の、縦ヒートシールが施されていない側の折返し辺側縁部にそれぞれ、被包装物収納スペースに連通する、幅、長さおよび形状の少なくともいずれか１つが異なる狭幅の上側注出通路および下側注出通路を設け、それらの上側注出通路および下側注出通路の各内側縁部に向かって、上側横シール部の上端辺および下側横シール部の下端辺からそれぞれ、弧状または直線状の引裂き誘導疵を、上側および下側の横シール部分だけに形成し、前記上側注出通路と下側注出通路とは、上記引裂き誘導疵に沿う引裂きによって形成される液体注出口のそれぞれの吐出口断面積が異なる大きさとなるように形成されていることを特徴とする液体包装袋を提供するものである。
【００１２】
なお、本発明においては、
（１）異なる液体注出口を具える上側注出通路および下側注出通路は、そのいずれか一方の吐出口断面積が大きく、他方が小さい組み合わせであること、
（２）前記上側および下側の横シール部分に形成される引裂き誘導疵はいずれも、始端と上側横シール部上端辺または下側横シール部下端辺とのクリアランスが０．３〜１．０ｍｍの範囲であるとともに、終端と上側注出通路または下側注出通路の各側端辺部とのクリアランスが０．３〜５．０ｍｍの範囲であること、
（３）前記注出通路が設けられる、ヒートシールが施されていない側縁部は、三方シール袋、中央合掌シール袋または背貼りシール袋の折返し幅方向側端部であること、
（４）前記弧状に延びる引裂き誘導疵に沿う引裂きによって開口される注出通路の液体注出口が、包装袋の上側の横シール部上端辺または下側の横シール部下端辺と平行または、包装袋の折返し辺側縁部に向って上向き、または下向きに湾曲するように形成されていること、
（５）前記注出通路は、上側横シール部上端辺または下側横シール部下端辺に向かって次第に先細る円錐状であること、
（６）前記液体注出口の、ほぼ幅方向での寸法が0.3〜50mmであること、
が、より好ましい実施形態となる。
【発明の効果】
【００１３】
この発明の液体包装袋によれば、被包装物の注出通路が、縦ヒートシールが施されていない側（積層フィルムの折返し基端部側）に設けられているため、注出口部分は、圧力を加えなくても、積層フィルムの復元力によって十分にストロー状（楕円状）に開口した状態になり、被包装物の注出量を、その収納スペースの押圧によってコントロールすることができる。しかも、この袋は、注出通路が注出口に向かって次第に狭幅となっているため、被包装物が注出通路に沿って常に一定方向に注出されるから、注出時に被包装物が飛散することがなく、また、被包装物の液引きが良く、注出時に液だれを発生するおそれがない。
【００１４】
さらに、本発明の液体包装袋では、縦シールを施していない側の袋の側縁部に、注出通路を形成すると共に、上側横シール部にあるものと、下側横シール部にあるものとで、それぞれの注出通路の大きさを変えて、例えば大・小とし、引裂き誘導疵の引裂きによって各注出通路に形成される注出口の吐出断面積を、異なる大きさとなるようにすることにより、被包装物の種類や用途、それを使用する者の好み等に合わせて注出口（注出量）を、大小いずれか一方に選択して開封し、使用することができるようになる。
【００１５】
また、本発明では、液体包装袋の引裂き誘導疵が、包装袋の上側横シールや下側横シール部の部分の中だけに設けられ、その始端が注出口部分から離隔して形成されている。しかも、その引裂き誘導疵の始端と上側横シール上端および下側横シール部下端とに0.3〜1.0mmのクリアランスを設けると共に、終端を注出通路の各側端辺部から0.3〜5.0mm離隔して設けることにより、包装袋の取り扱い中に、それが破断して被包装物が漏れ出すというようなことがない。
【図面の簡単な説明】
【００１６】
【図１】従来の液体包装袋を示す平面図である。
【図２】本発明の液体包装袋の一の実施形態を示す平面図である。
【図３】本発明の液体包装袋の他の実施形態を示す平面図である。
【図４】本発明の液体包装袋の引裂き誘導疵の形成方法を示す平面図である。
【図５】本発明の液体包装袋を構成する積層フィルムの一例を示す概略断面図である。
【図６】本発明の液体包装袋に（ａ）突部、（ｂ）ローレットシール部を形成した場合の実施例を示す平面図である。
【発明を実施するための形態】
【００１７】
以下に、この発明の好適な実施形態を図面を用いて説明する。
図２は、本発明の液体包装袋の一実施形態を示すものであり、図中斜線を施した部分は、ヒートシール部分を示す。この液体包装袋５は、少なくともベースフィルム層とシーラント層とからなる積層フィルムを、たとえば、３方シールの場合であれば、積層フィルムのシーラント層が相互に対向するように幅方向で二つ折りした後、折返し辺側の端部である基端辺を除く各辺部分を三方シールして形成したものであり、上側横シール部６および下側横シール部９内に、曲線状の引裂き誘導疵１０ａ、１０ｂがそれぞれ形成されている。なお、本発明の液体包装袋は、図２の三方シール形態の包装袋の他、中央合掌シール形の包装袋や背貼りシール形の包装袋などヒートシールが施されることのない、少なくともいずれかの位置に折返し辺等を有する包装袋に適用することができる。
【００１８】
上側横シール部６および下側横シール部９はいずれも、その包装袋の縦シールが施されていない基端辺７側である折返し辺側縁部に、角形形状の非シール部分を有し、この非シール部分が液体注出通路８ａ、８ｂとして形成されており、それぞれが袋本体の被包装物の収納スペース１２と連通している。なお、液体注出通路８ａ、８ｂは、図視のように正面視で三角形状だけに限定されるものではなく、後述の方法によって形成される液体注出口１１ａ、１１ｂに向かって次第に狭幅となる形状であれば、台形状のようなものでもよい。これは、注出通路８ａ、８ｂを、液体注出口１１ａ、１１ｂに向かって先細形状とすることで、被包装物の押出し方向が一定となり、被包装物があたりに飛び散るようなことがなくなり、液だれ発生の抑制に有効だからである。これらの液体注出通路８ａ、８ｂは、縦シールのない基端辺７側の側端が三角形状に窪んだ形状からなる瓶口形ヒートシール刃を用いることにより形成することができる。ところで、ヒートシール目の形状としては、ベタシール、三線シール、布目シールなどを用いることができ、とくにシールの確実性と安全性の点から、ベタシール、三線シールを用いることが好ましい。
【００１９】
ところで、本発明の液体包装袋５は、上記のように上側横シール部６と下側横シール部９の非縦シール側の折返し辺側縁部（基端辺）７に、それぞれに液体注出通路８ａ、８ｂを形成すると共に、それらの注出通路８ａ、８ｂの幅方向および／または長さ方向の大きさを、例えば、図２のように、上側横シール部６側の液体注出通路８ａの幅を、下側横シール部９側の液体注出通路８ｂの幅よりも大きくして、異なる形状のものにするところに特徴がある。これによって、液体注出通路８ａ、８ｂに、後述するようにして形成される液体注出口１１ａ、１１ｂの吐出断面積に差をつけることができ、需要者自身が使用に際して、被包装物の種類や用途、好み等に合わせて、液体注出口１１ａ、１１ｂを選択し、さらには被包装物の注出量を調整することができる。しかも、注出量、注出速度、注出形態のコントロールを単に注出通路８ａ、８ｂの選択だけで、被包装物等に関係なく、同一の液体包装袋５を利用して実現することができるため、製造コストを低減することができる。
【００２０】
前記のように液体注出通路８ａ、８ｂに形成される液体注出口１１ａ、１１ｂは、液体包装袋５の上側横シール部６上端および下側横シール部９下端をそれぞれ始端として、注出通路８ａ、８ｂの側端辺部に向かって形成された引裂き誘導疵１０ａ、１０ｂを、使用に際して引裂いて開封することで形成することができる。
【００２１】
なお、引裂き誘導疵１０ａ、１０ｂは、それを境界として、上側横シール部６または下側横シール部９を両手指で把持し、テコの力を利用して引裂き誘導疵１０に沿って手指で引裂くことで容易に開封することができる。そのため、上側横シール部６および下側横シール部９の縦長さ、すなわち幅は、手指で把持できる寸法、好ましくは20mm以上とする。なお、引裂き誘導疵１０ａ、１０ｂは、図２に示すような曲線状の他、図３に示すように直線状に設けてもよい。なお、図３はまた、下側横シール部９側の注出通路８ｂが、上側横シール部６側の注出通路８ａよりも幅方向に大きい場合の実施形態を示すものである。
【００２２】
このように、本発明では、注出口１１ａ、１１ｂが包装袋５の縦シールを施していない基端辺７側に設けられていることから、包装袋５に圧力を加えなくても、積層フィルムの、折り返し前の状態に復元しようとする力の助勢を得て、単に傾けるだけで、常にストロー状（楕円状）に開口された状態となり、さらに、注出通路８ａ、８ｂが注出口１１ａ、１１ｂに向かって次第に狭幅となっているため、被包装物が収納スペース１２の押圧によって注出通路８ａ、８ｂに沿って、一定方向に滑らかに注出することができるようになる。したがって、従来のように液体注出時に被包装物が飛散し、手指や衣類を汚すことがない。
【００２３】
さらに、本発明の液体包装袋５は、被包装物がその表面張力の働きにより、包装袋５の傾倒によっても注出通路８ａ、８ｂから漏れ出すことがなく、また、注出量を、収納スペース１２の指圧コントロールによって調整することができる。
【００２４】
また、従来のように被包装物が縦シール部を超えて注出されるのではなく、注出口先端から直接、注出されるため、被包装物が縦シール部を伝わることによる液だれの発生がない。
【００２５】
さらに、包装袋５の引裂き誘導疵１０ａ、１０ｂは、包装袋５の上側横シール部６および下側横シール部９内だけに設けられ、その始端と上側横シール部６上端、下側シール部９下端との間に0.3〜1.0mmのクリアランスを有する一方、終端が注出通路８ａ、８ｂの各側端辺部から0.3〜5.0mm離隔して設けられているため、包装袋５の取り扱い中に、それが破断して被包装物が不測に漏れ出すおそれがない。
【００２６】
なお、引裂き誘導疵１０ａ、１０ｂの始端と、上側横シール部６上端、下側横シール部９下端との間には、0.3〜1.0mmのクリアランスを設けることにより、包装袋５が移動、梱包、輸送などの取り扱い中、とくに連続包装袋をミシン目を介して１袋づつ、もしくは所要の数袋毎に切り離す際に、誘導疵１０ａ、１０ｂが不測に破断し、被包装物が漏れ出すのを防ぐことができる。なお、クリアランスが0.3mmより小さい場合には、上記効果が期待できず、一方、1.0mmよりも大きい場合には、引裂き誘導疵１０ａ、１０ｂの始端において包装袋５が切り取れず、手指により開封することができない。
【００２７】
また、引裂き誘導疵１０ａ、１０ｂの終端は、液体注出通路８ａ、８ｂとのクリアランスがそれぞれ、0.3〜5.0mmになるようにすることが好ましく、これは、クリアランスが0.3mmより小さい場合、包装袋５が移動、梱包、輸送などの取り扱い中に、それ自身の落下衝撃や積み重ね荷重などを受けたりすることによって誘導疵１０ａ、１０ｂが不測に破断し、被包装物が漏れ出すおそれがあり、一方、クリアランスが5.0mmよりも大きい場合には、引裂き誘導疵１０ａ、１０ｂの終端において包装袋５が切り取れず、手指による開封ができない。
【００２８】
また、本発明の液体包装袋５を連続包装袋の状態で製造する場合においても、引裂き誘導疵１０ａ、１０ｂの始端がそれぞれ、上側横シール部６上端および下側横シール部９下端の中程に位置しているため、自動充填包装中に引裂き誘導疵１０ａ、１０ｂの始端がロール等に引っ掛かり、誘導疵１０ａ、１０ｂが破断してしまうようなことがない。さらに、縦シール部より横一直線に形成した従来の誘導疵よりも、折れ曲がり難く、移動中にちぎれてしまうようなこともない。
【００２９】
なお、引裂き誘導疵１０ａ、１０ｂは、積層フィルムの幅方向へ−（マイナス）状に延在させて設けた一本の疵、ミシン目状に穿設した複数の疵、その幅方向に間隔をおいて設けた複数の小孔状の疵、あるいはレーザ光線等をもって連続的もしくは間欠的に設けた溶融痕などの、適宜の形状および数の疵にて形成することができ、このような引裂き誘導疵の、深さ、積層フィルムの幅方向での長さ、その他の寸法は、積層フィルムの厚さ、積層フィルムの構成材料などに応じて選択する。
【００３０】
本発明では、引裂き誘導疵１０ａ、１０ｂによる引裂きによって形成される液体注出口１１ａ、１１ｂの、ほぼ幅方向での寸法は、0.3〜50mmの範囲とすることが好ましく、この寸法は、被包装物の種類や粘性等によって適宜決定する。ここにおける「ほぼ幅方向」とは、本発明において包装袋に形成する引裂き誘導疵を、上向きに傾斜して形成する場合を考慮したものである。なお、注出口１１ａ、１１ｂを0.3〜50mmに限定する理由は、0.3mmより小さい場合には、注出量が少なすぎてしまい、50mmを超えると包装袋が傾倒等した際に、被包装物の表面張力以上の力が働くことになって、注出口１１ａ、１１ｂから被包装物が漏れ出したり、指圧のコントロールによる注出量の調整ができなくなってしまうためである。
【００３１】
とくに、図２のように引裂き誘導疵１０ａ、１０ｂが曲線状の場合では、引裂き誘導疵１０ａ、１０ｂを引裂いて開封することにより開口される注出口１１ａ、１１ｂが、液体包装袋５の幅方向に対して水平に（図４(a)）、もしくは、終端に向かって上向き（誘導疵１０ａ）または下向き（誘導疵１０ｂ）に湾曲する（図４(ｂ)）ように設けることが好ましく、このように注出口１１ａ、１１ｂを、液体包装袋５の幅方向に対して水平もしくは上向き・下向きに湾曲させて形成すると、被包装物の液引きがよく、とくに上向き・下向きに湾曲している場合（図４（ｂ））には、注出口１１ａ、１１ｂの先端が細く（鋭く）なるため、別の容器に移し替える場合等にこぼれ難いという効果が期待できる。
【００３２】
ところで、本発明の液体包装袋５は、図５に概略断面図を一例として示した積層フィルムを用いて形成することができる。ここで、積層フィルム１は、ベースフィルム層２とシーラント層３からなり、必要に応じて、ベースフィルム層２とシーラント層３の間にバリア層となる中間層４を設けてもよい。なお、この積層フィルム１は、ベースフィルム層２、シーラント層３および中間層４を、たとえば押出しラミネートまたはドライラミネートにより積層して形成する。
【００３３】
上記ベースフィルム層２としては、一軸もしくは二軸延伸のエチレンビニルアルコール共重合体、ポリオレフィン、ポリエステル、ポリアミド、ポリイミドもしくは塩化ビニリデン等の合成樹脂フィルムから構成されることが好ましく、これらは優れた水蒸気不透過性および、高いガスバリア性を発揮することができる。
【００３４】
なかでも、二軸延伸ポリエチレンテレフタレートフィルム層は、直線カット性ポリエステルフィルムである「エンブレットＰＣ」（商標ユニチカ株式会社）を用いることが、また、二軸延伸ナイロンフィルム層とするときは、直線カット性ナイロンフィルムである「エンブレムＮＣ」（商標ユニチカ株式会社）を用いることが、以下の理由により好適である。
すなわち、これらによれば、一軸延伸ベースフィルム層を用いる場合に比してより高い水蒸気不透過性、ガスバリア性等を付与することができる他、引裂き開封部分の、手指による、直線的な引裂き除去を円滑かつ容易にし、しかも、引裂き開口を、毛羽立ち等のない十分平滑なものとすることができる。
【００３５】
また、シーラント層３として、ポリエチレン層またはポリプロピレン層を用いれば、比較的低い温度のヒートシール温度で優れたシール強度を発揮することができる。
【００３６】
また、中間層４は、包装袋として必要とする性質、たとえば水蒸気不透過性やガスバリア性、腰度などを向上させるために適宜、積層させることが好ましく、SiO2蒸着層、塩化ビニリデンコーティング層、酸化アルミニウムコーティング層、Al蒸着層あるいはSiO2やAl、Al2O3などのスパッタリング層などが好適である。
【００３７】
さらに、本発明においては、図６に示すように、引裂き誘導疵１０ａ、１０ｂの始端を隔てた位置に、突部１３（図６（ａ））または、ローレットシール部１４（図６（ｂ））を対にして設けることが好ましい。この突部１３またはローレットシール部１４は、包装袋５を、引裂き誘導疵１０ａまたは１０ｂを境界として、上側横シール部６または下側横シール部９を両手指で把持し、テコの力を利用して引裂き誘導疵１０ａまたは１０ｂの始端から手指で引裂き開封する際に、手指が滑ることを防止するという効果と共に、引裂き誘導疵１０ａ、１０ｂの始端を、触覚をもって検知することが可能となり、たとえ目が不自由な人でもその位置を、簡易迅速に見つけ出すことができるという効果がある。
【００３８】
したがって、突部１３またはローレットシール部１４は、上側横シール部６および下側横シール部９上の、両手指で把持する位置、即ち、引裂き誘導疵１０ａ、１０ｂ始端付近を境界として、その両側に対で設けることが好ましい。なお、突部１３は、引裂き誘導疵１０ａ、１０ｂの両側に複数対形成してもよく、また、ローレットシール部１４のそれぞれの大きさは、少なくとも手指で把持できる大きさ、例えば１０mm（上側・下側横シール部長さ方向）×５mm（上側・下側横シール部幅方向）程度であればよい。
【００３９】
突部１３は、円形、三角形、四角形、多角形など様々な形状とすることができる。この突部１３の形成方法は、上側横シール部６および下側横シール部９を形成するための、横ヒートシールロールの一方のヒートシール刃表面に、そのフィルム幅方向に間隔をおいて位置する二個一対の、上記形状からなる凹部を、また他方のヒートシール刃に、それらの凹部と対応して位置するそれぞれの凸部を設けることにより、両ヒートシール刃間を通過した包装用フィルムに、上側横シール部６および下側横シール部９の形成と同時に、突部１３を形成することによる。同様に、ローレットシール部１４も、上記一対の横ヒートシール刃のそれぞれの表面に、ローレット状の粗面を形成しておくことで、特別な工程を付加することなしに形成することができる。
【産業上の利用可能性】
【００４０】
この発明に係る液体包装袋は、醤油、ソース、各種の調味料類、スープ類、清涼飲料、アルコール飲料、果汁類、その他の粉粒状物を含むことのある液状ないし粘体状の飲食物、洗剤、医薬品等を包装するのに用いられる包装袋として使用することができる。
【符号の説明】
【００４１】
１  積層フィルム
２  ベースフィルム層
３  シーラント層
４  中間層
５、２０  液体包装袋
６  上側横シール部
７  基端辺
８ａ、８ｂ、２４  液体注出通路
９  下側横シール部
１０ａ、１０ｂ  引裂き誘導疵
１１ａ、１１ｂ  注出口
１２、２３  収納スペース
１３  突部
１４  ローレットシール部
２１  縦シール部分
２２  Iノッチ
２５  横シール部分
【図１】
2012017118.tif 000003
【図２】
2012017118.tif 000004
【図３】
2012017118.tif 000005
【図４】
2012017118.tif 000006
【図５】
2012017118.tif 000007
【図６】
2012017118.tif 000008